(57)【特許請求の範囲】
【請求項１】
基礎と土台との間に介在せしめるものであって、上部材と下部材とを積層して成り、上部材は上面が水平面、下面が傾斜面に形成され、下部材は上面が傾斜面、下面が水平面に形成され、上部材及び下部材の双方に基礎に並設したアンカーが貫挿されるアンカー貫挿孔が傾斜方向に向かって一定間隔を置いて多数設けられていることを特徴とする土台などの水平出し部材。
【発明の詳細な説明】
【０００１】
【発明の属する技術分野】
本発明は、土台や大引きの水平出しを簡単に行うことができる土台などの水平出し部材に関するものである。
【０００２】
【従来の技術並びに発明が解決しようとする課題】
一般的に、木造家屋３１は、図８に図示したようにコンクリート製にしてアンカーボルト３２が立設された布基礎３３の上に木製の土台３４を載置し、この土台３４の上面に柱等の部材を立設した構造である。
【０００３】
しかし、布基礎３３の上面は、傾斜していたり、凹凸があったりして水平でないことが往々にしてあり、このような場合には、当然のことながら布基礎３３の上に載置される土台３４の上面も水平でなくなり、土台３４の上面が水平でないと該土台３４の上面に立設される柱の高さ寸法が狂ったり、床材を土台３４に張ったときに該床材が歪んでしまうなどの問題点が発生する。このため、土台３４の上面を水平にすべく、該上面にカンナをかけて水平出しを行っているのが現状である。
【０００４】
また、大引きは、床づかの上にして土台３４間に張り渡されているものであるが、床づかの高さ寸法を間違えると大引きが撓わむこととなるため、床づかの高さ寸法出しは正確に行わなければならない。しかしながら、床づかの正確な高さ寸法の測定は難しく、現実には、建築現場で大引きの下に予め少し長めにした床づかを何度もあてがい、該床づかを少しづつ短くして、最終的に適切な高さの床づかに加工していくという手段を採用しており、大変厄介で且つ高度な技術が必要とされている。
【０００５】
本発明は、上記の問題点を解決したもので、基礎と土台との間に介在させることにより、簡単に土台の水平出しが行える、土台などの水平出し部材を提供するものである。
【０００６】
【課題を解決するための手段】
添付図面を参照して本発明の要旨を説明する。
【０００７】
基礎１と土台２との間に介在せしめるものであって、上部材３と下部材４とを積層して成り、上部材３は上面が水平面、下面が傾斜面に形成され、下部材４は上面が傾斜面、下面が水平面に形成され、上部材３及び下部材４の双方に基礎１に並設したアンカー５が貫挿されるアンカー貫挿孔６が傾斜方向に向かって一定間隔を置いて多数設けられていることを特徴とする土台などの水平出し部材に係るものである。
【０００８】
【発明の作用及び効果】
上部材３と下部材４とを積層して成る水平出し部材ａは、上部材３と下部材４とを一方に対して他方をスライドさせると、上部材３の上面と下部材４の下面とが平行な状態で水平出し部材ａの高さが変わり、所望の高さの水平出し部材ａが得られる。
【０００９】
この高さ調整済みの水平出し部材ａを基礎１と土台２との適当箇所に介在せしめると、土台２の上面はカンナをかけたりしなくとも容易に所望通り水平となる。
【００１０】
また、上部材３及び下部材４の双方にはアンカー貫挿孔６が設けられているから、基礎１と土台２との間に介在させる際、アンカー５をアンカー貫挿孔６に貫挿させれば、水平出し部材ａは所望の位置に固定され、且つ上部材３と下部材４との間でずり動が発生することがなくなる為、水平出し部材ａの高さも一定に保たれ、また水平出し部材ａが基礎１と土台２との間からはずれることも防止される。
【００１１】
【発明の実施の形態】
本発明の具体的な実施例について図１〜７に基づいて説明する。
【００１２】
図１は本発明の水平出し部材ａの分解斜視図を示したもので、上部材３は上面が水平面、下面が傾斜面に形成され、下部材４は上面が傾斜面、下面が水平面に形成されており、この上部材３と下部材４とを積層して水平出し部材ａが構成される。
【００１３】
水平出し部材ａの材質は、外圧や経年変化などで変形しにくい、木材、コンクリート、硬質プラスチック、れんが、ステンレスなどの金属等が望ましい。
【００１４】
また、水平出し部材ａの巾は、土台２の巾と同程度とし、土台２からはみ出ないように構成される。
【００１５】
また、上部材３及び下部材４の双方にはアンカー貫挿孔６が傾斜方向に向かって中心線上に一定間隔を置いて多数設けてられいる。
【００１６】
また、上部材３の下面及び下部材４の上面には凹凸嵌合部７を形成するための凹部１１及び凸部１２が、それぞれアンカー貫挿孔６の間に設けられている。
【００１７】
このように、アンカー貫挿孔６並びに凹凸嵌合部７を一定間隔に設けることにより、上部材３と下部材４とをスライドさせたときにアンカー貫挿孔６がふさがってしまうことがなくなる。
【００１８】
尚、上記水平出し部材ａは、凹部１１，凸部１２の嵌合を一か所ずらすと高さが１ｍｍ変化するように構成されている。
【００１９】
また、凹凸嵌合部７を設けていない水平出し部材ａを構成するときには、水平出し部材ａの正面から見える位置に上部材３及び下部材４に一定間隔の目盛りを付けておき、この目盛りにより水平出し部材ａの高さ変化が具体的に分かるように構成すると良い。
【００２０】
また、木材である土台２の通気性を良くし、土台２を腐食しにくくする為、上部材３の上面に図７に図示したように通気溝１０を設けると良い。この通気溝１０は、毛細管現象により水分が溜まってしまうことがない幅と深さに構成する。尚、通気溝１０は上部材３の巾方向に設けても同様である。
【００２１】
図２，３，４は水平出し部材ａの正断面図を三例を示している。
【００２２】
以下に図２，３，４に基づいて水平出し部材ａの使用方法を説明する。
【００２３】
本実施例では、１本の土台２の水平出しを行うために４個の水平出し部材ａを使用する場合を示している。
【００２４】
尚、土台２の両端の下部以外の使用個数は、土台２の長さや基礎１の傾斜具合，でこぼこ具合によって変更し、土台２を水平にできる個数にする。また、基礎１と土台２との間の全面に水平出し部材ａを介在させる必要はなく、適当間隔を置いて介存させることで良い。なぜなら、水平出し部材ａ間においては基礎１と土台２との間に間隙が形成されることとなり、通気性が良くなって、木製である土台２の腐食を防止し耐久性を高めることができるからである。
【００２５】
使用方法としては、まず、図２の状態の水平出し部材ａを基礎１上に、アンカー貫挿孔６にアンカー５を貫挿させて載置し、水平出し部材ａ上に土台２を仮載置する。
【００２６】
このとき、基礎１の上面に傾斜があったり凹凸があったりすると、土台２の上面も基礎１の上面に応じて歪む。
【００２７】
また、土台２は木材で構成されているため、乾燥や吸湿によってしなっていることがあり、この要因によっても土台２の上面は歪む。
【００２８】
続いて、水平出し部材ａ上の土台２の上面の歪み具合を測定し、また、水平出し部材ａの上面と土台２の下面との間に隙間があるときには、その値も測定する。
【００２９】
続いて、一旦土台２を基礎１上、即ち水平出し部材ａ上からはずす。
【００３０】
続いて、アンカー５から水平出し部材ａを取り外し、水平出し部材ａの高さを前記で測定した歪み具合に応じて変える。
【００３１】
このとき、土台２の上面が凸状に歪んでいるときは、図３のように上部材３と下部材４とをスライドさせて水平出し部材ａの高さを低くし、土台２の上面が凹状に歪んでいるときは、図４のように上部材３と下部材４とをスライドさせて水平出し部材ａの高さを高くする。
【００３２】
このとき、凹部１１と凸部１２の嵌合を１つづつづらせば水平出し部材ａの高さは１ｍｍづつ変化するので、水平出し部材ａの高さを一々測らずとも所望の値に簡単に調節できる。
【００３３】
また、水平出し部材ａの高さ調整の値は、水平出し部材ａの上面と土台２の下面との間に隙間がないときは土台２の上面の歪み具合の値で良いが、隙間があるときは土台２の上面の歪み具合の値から隙間の値を補正したものとなる。
【００３４】
続いて、高さ調整した水平出し部材ａを再び基礎１上にして仮載置の際と同位置にアンカー貫挿孔６にアンカー５を貫挿させて載置しその上部に土台２を載置すると、基礎１の傾斜や凹凸により土台２が傾斜していた場合にはこの高さ調整した水平出し部材ａにより土台２の傾斜は解消され、該土台２は水平となる。
【００３５】
また、土台２がしなっていた場合には、高さ調整した水平出し部材ａにより土台２の上面が水平となることを邪魔する要因が取り除かれ、以後、木造家屋を建築していくと柱や壁や屋根の重さが土台２に加えられ、水平出し部材ａの上面と土台２の下面との間に隙間がなくなり土台２の上面は水平となる。
【００３６】
従って、土台２の上面にカンナがけなどを行わずとも、土台２の上面を水平にすることができることとなる。
【００３７】
また図６は、水平出し部材ａを床づか８と大引き９との間に介在させる場合の実施例を示しており、正確な高さ寸法より短めの床づか８の上面に水平出し部材ａを載置し、その上に大引き９を一旦仮載置し、前記と同様に大引き９の撓わみ具合を測定したあと大引き９を外し、水平出し部材ａの高さ調節をし、再度大引き９を載置することで、床づか８を正確な高さ寸法に加工する工程を省くことができることとなる。
【００３８】
即ち、高さ調整済みの水平出し部材ａを正確な高さ寸法より短めの床づか８と大引き９との間に介在せしめると、床づか８の正確な高さ寸法出しを行うことが可能となり、よって、床づか８を正確な高さ寸法に加工する工程を行うことなく、容易に大引き９は所望通り水平となる。
【００３９】
また、アンカー貫挿孔６は単なる孔であるから、床づか８と大引き９との間に介在せしめるときには邪魔にならない。
【００４０】
その余は前記と同様である。
【図面の簡単な説明】
【図１】本実施例の水平出し部材ａの分解斜視図である。
【図２】本実施例の水平出し部材ａの基本状態を示す正断面図である。
【図３】本実施例の水平出し部材ａの高さを低くした場合を示す正断面図である。
【図４】本実施例の水平出し部材ａの高さを高くした場合を示す正断面図である。
【図５】本実施例の土台２の水平出しを行ったあとの状態を示す説明正面図である。
【図６】本実施例の大引き９の水平出しを行ったあとの状態を示す説明側面図である。
【図７】別実施例の水平出し部材ａの基本状態を示す側断面図である。
【図８】従来例を示す説明正面図である。
【符号の説明】
１  基礎
２  土台
３  上部材
４  下部材
５  アンカー
６  アンカー貫挿孔
【図１】
0003634224.tif 000002
【図２】
0003634224.tif 000003
【図３】
0003634224.tif 000004
【図４】
0003634224.tif 000005
【図５】
0003634224.tif 000006
【図６】
0003634224.tif 000007
【図７】
0003634224.tif 000008
【図８】
0003634224.tif 000009